(57)【要約】【課題】  映像表示装置において、映像信号を分割して処理することを、より簡易な構成で行う。【解決手段】  ２以上の映像信号を入力し、２つの映像信号、もしくは、１つの映像信号を２分割した２つの分割映像信号を出力する分割部と、前記分割部の各出力をそれぞれ入力し、デコードして出力する第１及び第２のレシーバと、前記第１及び第２のレシーバの各出力を入力し、各出力の示す映像が前記２つの分割映像信号によるものであるか否かを判定し、判定結果を出力する信号判定部と、前記第１及び第２のレシーバの各出力と前記判定結果を入力し、前記判定結果が前記第１及び第２のレシーバの各出力の示す映像が２つの分割映像信号によるものであることを示す場合には、各映像を結合させた映像信号を生成する信号処理部と、を有する。【選択図】  図１
2017156684.tif 000002
【特許請求の範囲】
【請求項１】
２以上の映像信号を入力し、２つの映像信号、もしくは、１つの映像信号を２分割した２つの分割映像信号を出力する分割部と、
前記分割部の各出力をそれぞれ入力し、デコードして出力する第１及び第２のレシーバと、
前記第１及び第２のレシーバの各出力を入力し、各出力の示す映像が前記２つの分割映像信号によるものであるか否かを判定し、判定結果を出力する信号判定部と、
前記第１及び第２のレシーバの各出力と前記判定結果を入力し、前記判定結果が前記第１及び第２のレシーバの各出力の示す映像が２つの分割映像信号によるものであることを示す場合には、各映像を結合させた映像信号を生成する信号処理部と、を有する映像処理装置。
【請求項２】
請求項１記載の映像処理装置において、
前記信号判定部は、前記第１及び第２のレシーバの各出力の示す映像の水平方向サイズと垂直方向サイズの比較結果により前記２つの分割映像信号によるものであると判定する映像処理装置。
【請求項３】
請求項１または請求項２に記載の映像処理装置において、
前記分割部は前記２つの分割信号として１つの映像信号を水平方向に２分割した映像信号を出力し、
前記信号判定部は、前記第１及び第２のレシーバの各出力の示す映像の垂直方向サイズが水平方向サイズよりも大きな場合に前記２つの分割映像信号によるものであると判定する映像処理装置。
【請求項４】
請求項３に記載の映像処理装置において、
前記信号判定部は、
前記第１及び第２のレシーバの各出力の示す映像の垂直方向サイズを検出する垂直方向画像サイズ検出回路と、
前記第１及び第２のレシーバの各出力の示す映像の水平方向サイズを検出する水平方向画像サイズ検出回路と、
前記垂直方向画像サイズ検出回路が検出した垂直方向サイズと前記水平方向画像サイズ検出回路が検出した水平方向サイズとを比較し、垂直方向サイズが水平方向サイズよりも大きな場合に前記２つの分割映像信号によるものであることを示す左右分割判別結果を出力する比較回路と、を有する映像処理装置。
【請求項５】
請求項１ないし請求項４のいずれかに記載の映像処理装置と、前記信号処理部により生成された映像信号による映像を表示する表示部と、を有する映像表示装置。
【請求項６】
分割部にて２つの映像信号、もしくは、１つの映像信号を２分割した２つの分割映像信号を出力し、
第１及び第２のレシーバにて、前記２つの映像信号、もしくは、１つの映像信号を２分割した２つの分割映像信号をデコードして出力し、
信号判定部にて、前記デコードされた前記２つの映像信号、もしくは、１つの映像信号を２分割した２つの分割映像信号の示す映像が前記２つの分割映像信号によるものであるか否かを判定し、
信号処理部にて、前記判定部による判定結果が前記第１及び第２のレシーバの各出力の示す映像が２つの分割映像信号によるものであることを示す場合には、各映像を結合させた映像信号を生成する、映像処理方法。
【発明の詳細な説明】
【技術分野】
【０００１】
本発明は、映像信号に示される映像を表示する映像表示装置および映像表示方法に関する。
【背景技術】
【０００２】
複数の映像信号が入力される映像表示装置として、入力される映像信号の解像度に応じて異なる処理が行われるものがある（例えば特許文献１参照）。
【０００３】
図７は映像信号を表示するプロジェクタやモニタなどの映像表示装置の映像処理に関する部分の構成を示すブロック図である。図７に示される映像表示装置は、分割部１０２、レシーバ１０３，１０４、信号処理部１０５、表示部１０６、および、制御部１０７を備えている。表示部１０６は、液晶パネル駆動部と液晶パネル等を備えるプロジェクタやモニタであり、信号処理部１０５からの映像信号を表示する。制御部１０７はＣＰＵ（Ｃｅｎｔｒａｌ  Ｐｒｏｃｅｓｓｉｎｇ  Ｕｎｉｔ）を備え、信号処理部１０５の動作を制御する。
【０００４】
分割部１０２は２以上の映像入力端子を備えるもので、映像信号として、ＨＤＭＩ（登録商標）：（Ｈｉｇｈ−Ｄｅｆｉｎｉｔｉｏｎ  Ｍｕｌｔｉｍｅｄｉａ  Ｉｎｔｅｒｆａｃｅ：ハイデフィニション  マルチメディア  インターフェース）信号やＤｉｓｐｌａｙＰｏｒｔ（登録商標）信号等の映像信号が同時に２つ以上入力可能とされる。
【０００５】
分割部１０２は、入力された映像信号が低解像度の場合（例えば、４ｋ解像度で３０Ｈｚ以下の映像信号）には、そのうちの２つを選択して、それぞれをレシーバ１０３とレシーバ１０４にそのまま出力する。
【０００６】
分割部１０２における上記の映像信号の選択は各映像信号がそれぞれ入力される複数の映像信号入力端子に定められている優先順位に基づいて行われる。この優先順位は、映像表示装置に備えられたスイッチ（不図示）などにより切換可能とされている。
【０００７】
分割部１０２に入力された優先順位が最も高い映像信号が高解像度の場合（例えば、４ｋ解像度で６０Ｈｚ以上の映像信号）には、映像信号の各画素に同期するドットクロックが非常に高いことから（４ｋ解像度で６０Ｈｚの場合には５９４ＭＨｚ）、そのまま出力すると、以降に設けられるレシーバ１０３、レシーバ１０４を含めた映像処理を行う回路において、パラレルのＲＧＢデジタル信号として処理することができない。
【０００８】
そこで、分割部１０２に入力された映像信号が高解像度の場合には、分割部１０２では、映像信号のサイズを水平方向に半分、つまり、左右均等に分割することで、水平周波数を変えずに、ドットクロックを半分にした状態で、左右それぞれの映像を示す分割映像信号をレシーバ１０３とレシーバ１０４に出力する。
【０００９】
４ｋ解像度で６０Ｈｚの映像信号の場合は、ドットクロックが５９４ＭＨｚであり、解像度が４０９６ｘ２０１６、または、３８４０ｘ２１６０なので、分割部１０２では、入力された映像信号を、ドットクロックが２９７ＭＨｚ、解像度が２０４８ｘ２０１６、または、１９２０ｘ２１６０の映像信号に分割してそれぞれをレシーバ１０３とレシーバ１０４に出力する。また、分割部１０２はレシーバ１０３とレシーバ１０４に出力した映像信号の内容を制御部１０７に通知する。
【００１０】
レシーバ１０３、レシーバ１０４では、入力されたＨＤＭＩ信号やＤｉｓｐｌａｙＰｏｒｔ信号をデコードし、ドットクロック、パラレルのＲＧＢデジタル信号、水平同期信号、垂直同期信号、データイネーブル信号（以下、ＤＥ信号）に変換し、信号処理部１０５に送る。この時、レシーバ１０３、レシーバ１０４以降の回路の処理可能なドットクロックの周波数が低い場合には、ドットクロックの周波数をさらに半分にし、このドットクロックの立ち上がりと立ち下がりの両エッジに、上記のパラレルのＲＧＢデジタル信号、水平同期信号、垂直同期信号、ＤＥ信号を同期させて出力することもある。
【００１１】
制御部１０７は、映像表示装置全体の動作を制御するもので、映像信号処理に関しては分割部１０２より通知されたレシーバ１０３とレシーバ１０４に出力した映像信号の内容を信号処理部１０５に通知する。
【００１２】
信号処理部１０５は、制御部１０７からの通知により、レシーバ１０３とレシーバ１０４から入力されるデジタル映像信号の内容を確認し、その内容が上記のように左右分割なのか否かによって映像信号の処理方法を変える。
【００１３】
信号処理部１０５にレシーバ１０３とレシーバ１０４から左右分割ではなく、それぞれ別々に低解像度の映像信号が入力される場合には、両方を同時に２画面表示とする。この場合、そのどちらかを全画面表示とすることも選択肢として考えられが、いずれの場合においても、表示部１０６に見合った画像サイズに解像度を変換した映像信号を生成する。
【００１４】
また、信号処理部１０５にレシーバ１０３とレシーバ１０４から左右分割の映像信号が入力される場合には、左右画面を結合させ、表示部１０６に見合った画像サイズに解像度を変換した映像信号を生成する。
【先行技術文献】
【特許文献】
【００１５】
【特許文献１】特開２０１５−０６００２１号公報
【発明の概要】
【発明が解決しようとする課題】
【００１６】
上述した映像表示装置では、信号処理部１０５で行われる映像信号の処理方法は分割部１０２が出力する映像信号が１つの映像を左右分割したものであるか否かを示す通知内容により変更される。分割部１０２の出力については、制御部１０７を介して分割部１０２より信号処理部１０５へ通知される。このため、分割部１０２は、映像信号の選択や分割に加えて、その出力内容を示す通知信号を生成する必要がある。また、制御部１０７においても、映像表示装置全体の様々な動作の制御に加えて、分割部１０２からの通知を随時読み出して信号処理部１０５へ通知する必要があるため、制御部１０７の負担も大きなものとなり、装置としての構成も複雑となる。
【００１７】
本発明は、映像表示装置において、映像信号を分割して処理することを、より簡易な構成で行う。
【課題を解決するための手段】
【００１８】
本発明の映像処理装置は、２以上の映像信号を入力し、２つの映像信号、もしくは、１つの映像信号を２分割した２つの分割映像信号を出力する分割部と、
前記分割部の各出力をそれぞれ入力し、デコードして出力する第１及び第２のレシーバと、
前記第１及び第２のレシーバの各出力を入力し、各出力の示す映像が前記２つの分割映像信号によるものであるか否かを判定し、判定結果を出力する信号判定部と、
前記第１及び第２のレシーバの各出力と前記判定結果を入力し、前記判定結果が前記第１及び第２のレシーバの各出力の示す映像が２つの分割映像信号によるものであることを示す場合には、各映像を結合させた映像信号を生成する信号処理部と、を有する。
【００１９】
本発明の映像表示装置は、上記の映像処理装置と、前記信号処理部により生成された映像信号による映像を表示する表示部と、を有する。
【００２０】
本発明の映像処理方法は、分割部にて２つの映像信号、もしくは、１つの映像信号を２分割した２つの分割映像信号を出力し、
第１及び第２のレシーバにて、前記２つの映像信号、もしくは、１つの映像信号を２分割した２つの分割映像信号をデコードして出力し、
信号判定部にて、前記デコードされた前記２つの映像信号、もしくは、１つの映像信号を２分割した２つの分割映像信号の示す映像が前記２つの分割映像信号によるものであるか否かを判定し、
信号処理部にて、前記判定部による判定結果が前記第１及び第２のレシーバの各出力の示す映像が２つの分割映像信号によるものであることを示す場合には、各映像を結合させた映像信号を生成する。
【発明の効果】
【００２１】
上記の構成を備える本発明では、映像表示装置において、映像信号を分割して処理することを、より簡易な構成で行うことができる。
【図面の簡単な説明】
【００２２】
【図１】本発明による映像表示装置の一実施形態の映像処理装置に関する部分の構成を示すブロック図である。
【図２】図１中の信号判定部１４を構成する水平方向画像サイズ検出回路を示す図である。
【図３】図１中の信号判定部１４を構成する垂直方向画像サイズ検出回路を示す図である。
【図４】図１中の信号判定部１４を構成するサイズ比較回路を示す図である。
【図５】図２に示される水平方向画像サイズ検出回路のタイミングチャートである。
【図６】図３に示される垂直方向画像サイズ検出回路のタイミングチャートである。
【図７】映像表示装置の映像処理に関する部分の構成を示すブロック図である。
【発明を実施するための形態】
【００２３】
次に、本発明の実施形態について図面を参照して説明する。
【００２４】
図１は本発明による映像表示装置の一実施形態の映像処理装置に関する部分の構成を示すブロック図である。
【００２５】
本実施形態の映像処理装置は、分割部９、レシーバ１０，１１、信号処理部１２、表示部１３、および、信号判定部１４を備えている。
【００２６】
分割部９、レシーバ１０，１１、信号処理部１２、表示部１３のそれぞれは、図７に示した分割部１０２、レシーバ１０３，１０４、信号処理部１０５、表示部１０６と同じものであるが、図７に示した制御部１０７の代わりに新たに信号判定部１４が設けられている。
【００２７】
信号判定部１４は、レシーバ１０とレシーバ１１から入力されるデジタル映像信号のそれぞれの画像サイズを検出する。そして、検出した２つの画像サイズの両方において、水平方向のサイズよりも垂直方向のサイズが大きな場合には、左右分割の映像信号が入力されていると判断し、水平方向のサイズよりも垂直方向のサイズが小さな場合には、左右分割の映像信号ではなく、独立した単独の映像信号が入力されていると判断し、判断結果を信号処理部１２へ通知する。
【００２８】
通常の一般的な画像サイズは水平方向のサイズが垂直方向のサイズよりも大きいので、水平方向のサイズよりも垂直方向のサイズの方が大きな画像サイズの映像信号が入力された場合は、それらが分割部９において、左右分割された映像信号であると判断して問題ない。したがって、信号判定部１４を新たに設けることで、分割部９は映像信号が１つの映像を左右分割したものであるか否かを示す通知を出力する必要がなくなる。また、図７に示した制御部１０７を介することなく、自動的に左右分割か否かを判定することができる。
【００２９】
次に、信号判定部１４での左右分割判別を行う構成について説明する。信号判定部１４は、図２に示される水平方向画像サイズ検出回路、図３に示される垂直方向画像サイズ検出回路、および、図４に示されるサイズ比較回路で構成される。
【００３０】
図２に示される水平方向画像サイズ検出回路は、カウンタ回路１８とラッチ回路１９を備えている。カウンタ回路１８は、ドットクロック、ＤＥ信号、および、水平同期信号を入力し、ラッチ回路１９はカウンタ回路１８出力と水平同期信号を入力して水平方向サイズを出力する。
【００３１】
カウンタ回路１８は、水平同期信号によって毎回リセットされるカウンタで、ＤＥ信号がアクティブ（通常Ｈｉｇｈ）の期間内だけドットクロックの数をカウントする。このカウント結果はラッチ回路１９にて、水平同期信号によって毎回ラッチされ、この結果が水平方向サイズとして出力される。
【００３２】
図５は図２に示される水平方向画像サイズ検出回路のタイミングチャートである。カウンタ回路１８のカウント値はＤＥ信号がＨｉｇｈレベルの期間、ドットクロックごとにカウントアップし、水平同期信号の立ち上がりでラッチされ、水平方向サイズの値が更新される。これと同時にカウンタ回路１８のカウント値は０にリセットされる。
【００３３】
図３に示される垂直方向画像サイズ検出回路は、カウンタ回路２３およびラッチ回路２４を備えている。カウンタ回路２３はＤＥ信号および垂直同期信号を入力し、ラッチ回路２４はカウンタ回路２３出力と垂直同期信号を入力して垂直方向サイズを出力する。
【００３４】
カウンタ回路２３は垂直同期信号２２によって毎回リセットされるカウンタで、ＤＥ信号の数をカウントする。このカウント結果はラッチ回路２４にて、垂直同期信号２２によって毎回ラッチされ、この結果が垂直方向サイズとして出力される。
【００３５】
図６は図３に示される垂直方向画像サイズ検出回路のタイミングチャートである。カウンタ回路２３のカウント値はＤＥ信号ごとにカウントアップし、垂直同期信号の立ち上がりでラッチされ、垂直方向サイズの値が更新される。これと同時にカウンタ回路２３のカウント値は０へリセットされる。
【００３６】
上記の水平方向サイズと垂直方向サイズは図４に示される比較回路２６に入力され、水平方向サイズよりも垂直方向サイズが大きければ、左右分割の映像信号と判断し、水平方向サイズよりも垂直方向サイズが小さければ、左右分割ではない独立した単独の映像信号と判断して、これを左右分割判別結果とする。
【００３７】
そして、この左右分割判別結果は、図１に示される信号判定部１４から信号処理部１２に伝達され、信号処理部１２内の処理に用いられる。
【００３８】
以上のように、高解像度の映像信号を表示するプロジェクタやモニタなどの映像表示装置において、処理速度を軽減させるために映像信号を左右に分割して処理する場合、信号判定部１４において、画像サイズを検出し、水平方向のサイズより垂直方向のサイズの方が大きな場合には、左右分割の映像信号と判断し、水平方向のサイズより垂直方向のサイズの方が小さな場合には、左右分割ではない独立した単独の映像信号と判断し、その判別結果を信号処理部１２で用いることで、分割部９は映像信号が１つの映像を左右分割したものであるか否かを示す通知を出力する必要がなくなり、また、図７に示した制御部１０７を介することなく、自動的に左右分割か否かを判定することができるので、システムとしての処理を簡単にすることができる。
【００３９】
以上説明した各実施形態において、図示した構成は単なる一例であって、本発明はその構成に限定されるものではない。
【００４０】
上記の実施形態の一部又は全部は、以下のようにも記載されうるが、以下の構成には限られない。
（付記１）  ２以上の映像信号を入力し、２つの映像信号、もしくは、１つの映像信号を２分割した２つの分割映像信号を出力する分割部と、
前記分割部の各出力をそれぞれ入力し、デコードして出力する第１及び第２のレシーバと、
前記第１及び第２のレシーバの各出力を入力し、各出力の示す映像が前記２つの分割映像信号によるものであるか否かを判定し、判定結果を出力する信号判定部と、
前記第１及び第２のレシーバの各出力と前記判定結果を入力し、前記判定結果が前記第１及び第２のレシーバの各出力の示す映像が２つの分割映像信号によるものであることを示す場合には、各映像を結合させた映像信号を生成する信号処理部と、を有する映像処理装置。
（付記２）  付記１記載の映像処理装置において、
前記信号判定部は、前記第１及び第２のレシーバの各出力の示す映像の水平方向サイズと垂直方向サイズの比較結果により前記２つの分割映像信号によるものであると判定する映像処理装置。
（付記３）  付記１または付記２に記載の映像処理装置において、
前記分割部は前記２つの分割信号として１つの映像信号を水平方向に２分割した映像信号を出力し、
前記信号判定部は、前記第１及び第２のレシーバの各出力の示す映像の垂直方向サイズが水平方向サイズよりも大きな場合に前記２つの分割映像信号によるものであると判定する映像処理装置。
（付記４）  付記３に記載の映像処理装置において、
前記信号判定部は、
前記第１及び第２のレシーバの各出力の示す映像の垂直方向サイズを検出する垂直方向画像サイズ検出回路と、
前記第１及び第２のレシーバの各出力の示す映像の水平方向サイズを検出する水平方向画像サイズ検出回路と、
前記垂直方向画像サイズ検出回路が検出した垂直方向サイズと前記水平方向画像サイズ検出回路が検出した水平方向サイズとを比較し、垂直方向サイズが水平方向サイズよりも大きな場合に前記２つの分割映像信号によるものであることを示す左右分割判別結果を出力する比較回路と、を有する映像処理装置。
（付記５）  付記１ないし付記４のいずれかに記載の映像処理装置と、前記信号処理部により生成された映像信号による映像を表示する表示部と、を有する映像表示装置。
（付記６）  分割部にて２つの映像信号、もしくは、１つの映像信号を２分割した２つの分割映像信号を出力し、
第１及び第２のレシーバにて、前記２つの映像信号、もしくは、１つの映像信号を２分割した２つの分割映像信号をデコードして出力し、
信号判定部にて、前記デコードされた前記２つの映像信号、もしくは、１つの映像信号を２分割した２つの分割映像信号の示す映像が前記２つの分割映像信号によるものであるか否かを判定し、
信号処理部にて、前記判定部による判定結果が前記第１及び第２のレシーバの各出力の示す映像が２つの分割映像信号によるものであることを示す場合には、各映像を結合させた映像信号を生成する、映像処理方法。
【符号の説明】
【００４１】
９    分割部
１０，１１    レシーバ
１２    信号処理部
１３    表示部
１４    信号判定部
１８，２３    カウンタ回路
１９，２４    ラッチ回路
２６    比較回路
【図１】
2017156684.tif 000003
【図２】
2017156684.tif 000004
【図３】
2017156684.tif 000005
【図４】
2017156684.tif 000006
【図５】
2017156684.tif 000007
【図６】
2017156684.tif 000008
【図７】
2017156684.tif 000009